(57)【要約】      （修正有）【課題】段ボール製展示台の補強を行うと共に、複数の段ボール製展示台の積み上げ方向の係合を容易にし、複数の段ボール製展示台を積み上げた状態で横方向から押された場合でも、崩れ難い段ボール製展示台を提供する。【解決手段】上面５０及び底面６０に複数の孔２２Ａ、４２Ａが設けられた６面体となる箱本体１００と、底面６０から立設し、上面５０に当接することにより、上面５０及び底面６０を支える複数の補強壁２１０、２１２、２１４、２１６と、を備え、複数の補強壁２１０〜２１６は、箱本体１００の上面５０の孔２２Ａ、４２Ａを介して突出するように面方向に延びた複数の連結用突起２２０、２４０、２６０、２８０、及び少なくとも連結用突起２２０〜２８０に対応する反対側の位置において、面方向に凹んだ連結用突起逃げ部が設けられ、箱本体１００の底面６０の孔は、連結用突起逃げ部に対面する位置に設けられている段ボール製展示台とした。【選択図】図１
2011037457.tif 000002
【特許請求の範囲】
【請求項１】
上面及び底面に複数の孔が設けられた６面体となる箱本体と、
前記底面から立設し、前記上面に当接することにより、前記上面及び前記底面を支える複数の補強壁と、
を備え、
前記複数の補強壁は、前記箱本体の前記上面の孔を介して突出するように面方向に延びた複数の連結用突起、及び少なくとも前記連結用突起に対応する反対側の位置において、面方向に凹んだ連結用突起逃げ部、が設けられ、
前記箱本体の前記底面の孔は、前記連結用突起逃げ部に対面する位置に設けられていることを特徴とする、段ボール製展示台。
【請求項２】
前記複数の補強壁は、平行に配置される少なくとも２枚の補強壁を有し、
前記２枚の補強壁は、前記箱本体の前記上面の前記孔に対応する上面側の端面に、前記連結用突起を備えるとともに、前記箱本体底面の前記孔に対応する底面側の端面に前記連結用突起逃げ部を、備えることを特徴とする、
請求項１に記載の段ボール製展示台。
【請求項３】
前記複数の補強壁は、前記箱本体の前記上面又は前記底面から見た場合に環状に配置されることを特徴とする、
請求項１又は２に記載の段ボール製展示台。
【請求項４】
前記連結用突起は、前記箱本体の前記上面の外周縁よりも内側に設けられることを特徴とする、
請求項１乃至３のいずれか１項に記載の段ボール製展示台。
【請求項５】
前記連結用突起は、前記上面の中心を通り、前記上面の４辺に引いた垂線により４分割される領域の中心に設けられることを特徴とする、
請求項１乃至４のいずれか１項に記載の段ボール製展示台。
【請求項６】
となり合う前記連結用突起の間隔は、前記上面における、前記間隔と同一方向の長さの１／２であることを特徴とする、
請求項１乃至５のいずれか１項に記載の段ボール製展示台。
【請求項７】
前記補強壁の板厚は、前記箱本体の板厚よりも厚いことを特徴とする、
請求項１乃至６のいずれか１項に記載の段ボール製展示台。
【請求項８】
前記連結用突起逃げ部は、前記連結用突起と略同一形状であることを特徴とする、
請求項１乃至７のいずれか１項に記載の段ボール製展示台。
【請求項９】
前記補強壁の両端面は、前記箱本体の少なくとも１組の対向する内壁に当接することを特徴とする、
請求項１乃至８のいずれか１項に記載の段ボール製展示台。
【請求項１０】
前記補強壁の底面側の端面には、位置決め用突起が面方向に拡張して設けられ、
前記箱本体には、前記位置決め用突起に対応する位置に、該位置決め用突起と嵌り合う位置決め孔が設けられていることを特徴とする、
請求項１乃至９のいずれか１項に記載の段ボール製展示台。
【請求項１１】
前記連結用突起は、前記補強壁に対して折り曲げ可能に設けられ、
前記箱本体の前記複数の孔における、前記連結用突起の折り曲げ方向の寸法は、前記連結用突起の板厚よりも広く、且つ前記連結用突起を折り曲げた状態の折り曲げ幅よりも狭いことを特徴とする、
請求項１乃至１０のいずれか１項に記載の段ボール製展示台。
【請求項１２】
前記連結用突起は、前記補強壁に対して折り曲げ可能に設けられ、
前記箱本体の前記複数の孔における、前記連結用突起の折り曲げ方向の寸法は、前記連結用突起を折り曲げた状態の折り曲げ幅よりも広いことを特徴とする、
請求項１乃至１０のいずれか１項に記載の段ボール製展示台。
【請求項１３】
前記箱本体の内壁から突出して前記複数の補強壁の側面に当接することにより、前記補強壁を支持する、１又は２以上の補強壁支持部が設けられていることを特徴とする、
請求項１乃至１２のいずれか１項に記載の段ボール製展示台。
【請求項１４】
前記複数の補強壁は、少なくとも第１補強壁及び第２補強壁を備え、
前記補強壁支持部は、前記第１補強壁における前記第２補強壁側の側面、及び前記第２補強壁における前記第１補強壁側の側面に当接することを特徴とする、
請求項１３に記載の段ボール製展示台。
【発明の詳細な説明】
【技術分野】
【０００１】
本発明は、商品を載せて展示するための段ボール製の展示台に関する。
【背景技術】
【０００２】
従来、段ボール材で形成された箱本体の内部に、箱本体の上面と底面を支持するための支持部材を内設することによって、箱本体の強度を上げる方法が用いられている。また、このような段ボール材を利用した陳列用箱体において、箱本体の上面に複数の舌片部を形成し、箱本体の底面に舌片部と嵌入する長穴部を設けることによって、積み重ねた複数の陳列用箱体を崩れ難くする技術が提案されている（特許文献１参照）。
【先行技術文献】
【特許文献】
【０００３】
【特許文献１】実用新案登録第３１５２４５７号公報
【０００４】
しかしながら、特許文献１に開示されている陳列用箱体では、箱本体の一部を略垂直に立ち上げることによって舌片部を形成する構造としている。しかし、このような構造で舌片部を形成する場合、舌片部の板厚は箱本体の板厚と同じ厚さにしかできず、舌片部の強度が弱くなってしまうという問題があった。したがって、上記の陳列用箱体では、舌片部の板厚を厚くするためには、箱本体の板厚を厚くしなければならないが、段ボール材で作られた箱本体の板厚を厚くすると、箱本体の組み立て性が悪くなるとともに、原材料費が高価になってしまうという問題があった。上記の理由から、箱本体の板厚を厚くするのには一定の限界があり、箱の強度を十分確保するのは難しいという問題があった。
【０００５】
また、上記陳列用箱体では、舌片部は、箱本体の上面の一部を抜いて形成しているので、抜いてできた穴方向に折れて倒れやすいという問題があった。
【発明の概要】
【発明が解決しようとする課題】
【０００６】
本発明は、斯かる実情に鑑み、段ボール製展示台の補強を行うと共に、複数の段ボール製展示台の積み上げ方向の係合を容易にし、複数の段ボール製展示台を積み上げた状態で横方向から押された場合でも、崩れ難い段ボール製展示台を提供しようとするものである。
【課題を解決するための手段】
【０００７】
即ち、上記目的を達成する本発明は、上面及び底面に複数の孔が設けられた６面体となる箱本体と、前記底面から立設し、前記上面に当接することにより、前記上面及び前記底面を支える複数の補強壁と、を備え、前記複数の補強壁は、前記箱本体の前記上面の孔を介して突出するように面方向に延びた複数の連結用突起、及び少なくとも前記連結用突起に対応する反対側の位置において、面方向に凹んだ連結用突起逃げ部、が設けられ、前記箱本体の前記底面の孔は、前記連結用突起逃げ部に対面する位置に設けられていることを特徴とする、段ボール製展示台とした。
【０００８】
また、上記目的を達成する、段ボール製展示台は、前記複数の補強壁は、平行に配置される少なくとも２枚の補強壁を有し、前記２枚の補強壁は、前記箱本体の前記上面の前記孔に対応する上面側の端面に、前記連結用突起を備えるとともに、前記箱本体底面の前記孔に対応する底面側の端面に前記連結用突起逃げ部を、備えることを特徴とする。
【０００９】
また、上記目的を達成する、段ボール製展示台は、前記複数の補強壁は、前記箱本体の前記上面又は前記底面から見た場合に環状に配置されることを特徴とする。
【００１０】
また、上記目的を達成する、段ボール製展示台は、前記連結用突起は、前記箱本体の前記上面の外周縁よりも内側に設けられることを特徴とする。
【００１１】
また、上記目的を達成する、段ボール製展示台は、前記連結用突起は、前記上面の中心を通り、前記上面の４辺に引いた垂線により４分割される領域の中心に設けられることを特徴とする。
【００１２】
また、上記目的を達成する、段ボール製展示台は、となり合う前記連結用突起の間隔は、前記上面における、前記間隔と同一方向の長さの１／２であることを特徴とする。
【００１３】
また、上記目的を達成する、段ボール製展示台は、前記補強壁の板厚は、前記箱本体の板厚よりも厚いことを特徴とする。
【００１４】
また、上記目的を達成する、段ボール製展示台は、前記連結用突起逃げ部は、前記連結用突起と略同一形状であることを特徴とする。
【００１５】
また、上記目的を達成する、段ボール製展示台は、前記補強壁の両端面は、前記箱本体の少なくとも１組の対向する内壁に当接することを特徴とする。
【００１６】
また、上記目的を達成する、段ボール製展示台は、前記補強壁の底面側の端面には、位置決め用突起が面方向に拡張して設けられ、前記箱本体には、前記位置決め用突起に対応する位置に、該位置決め用突起と嵌り合う位置決め孔が設けられていることを特徴とする。
【００１７】
また、上記目的を達成する、段ボール製展示台は、前記連結用突起は、前記補強壁に対して折り曲げ可能に設けられ、前記箱本体の前記複数の孔における、前記連結用突起の折り曲げ方向の寸法は、前記連結用突起の板厚よりも広く、且つ前記連結用突起を折り曲げた状態の折り曲げ幅よりも狭いことを特徴とする。
【００１８】
また、上記目的を達成する、段ボール製展示台は、前記連結用突起は、前記補強壁に対して折り曲げ可能に設けられ、前記箱本体の前記複数の孔における、前記連結用突起の折り曲げ方向の寸法は、前記連結用突起を折り曲げた状態の折り曲げ幅よりも広いことを特徴とする。
【００１９】
また、上記目的を達成する、段ボール製展示台は、前記箱本体の内壁から突出して前記複数の補強壁の側面に当接することにより、前記補強壁を支持する、１又は２以上の補強壁支持部が設けられていることを特徴とする。
【００２０】
また、上記目的を達成する、段ボール製展示台は、前記複数の補強壁は、少なくとも第１補強壁及び第２補強壁を備え、前記補強壁支持部は、前記第１補強壁における前記第２補強壁側の側面、及び前記第２補強壁における前記第１補強壁側の側面に当接することを特徴とする。
【発明の効果】
【００２１】
本発明によれば、段ボール製展示台の補強を行うと共に、複数の段ボール製展示台の積み上げ方向の係合を容易にし、複数の段ボール製展示台を積み上げた状態で横方向から押された場合でも、崩れ難い段ボール製展示台を提供できるという優れた効果を奏し得る。
【図面の簡単な説明】
【００２２】
【図１】本発明の第１実施形態に係る段ボール製展示台の上面を開放した状態における、同段ボール製展示台を上面側から見た斜視図である。
【図２】同段ボール製展示台の箱本体を開放した状態を示す斜視図である。
【図３】補強部材を下側補強部材支持部に係合させた状態を示す、段ボール製展示台の斜視図である。
【図４】（ａ）同段ボール製展示台の補強部材を示す斜視図であり、（ｂ）補強部材の連結用突起と箱本体の孔との位置関係を示す、同段ボール製展示台の斜視図である。
【図５】（ａ）（ｂ）２個の同段ボール製展示台の積み重ね状態を示す断面図である。
【図６】（ａ）同段ボール製展示台の上面を開放した状態を示す斜視図であり、（ｂ）同段ボール製展示台の第１上面片及び第３上面片を閉じた状態を示す斜視図であり、（ｃ）同段ボール製展示台の第２上面片を閉じた状態を示す斜視図であり、（ｄ）同段ボール製展示台の第４上面片を閉じた状態を示す斜視図である。
【図７】本発明の第２実施形態に係る、段ボール製展示台の上面を開放した状態を示す斜視図であり、（ｂ）同段ボール製展示台の第１上面片及び第３上面片を閉じた状態を示す斜視図であり、（ｃ）同段ボール製展示台の第４上面片を閉じた状態を示す斜視図であり、（ｄ）同段ボール製展示台の第２上面片を閉じた状態を示す斜視図である。
【図８】（ａ）本発明の第３実施形態に係る段ボール製展示台の上面を開放した状態を示す斜視図であり、（ｂ）同段ボール製展示台の斜視図である。
【図９】同段ボール製展示台の開放状態を上面側から見た正面図である。
【図１０】（ａ）〜（ｄ）第１実施形態に係る段ボール製展示台の上に、第３実施形態に係る段ボール製展示台を積み上げた例を示す斜視図である。
【図１１】第４実施形態に係る段ボール製展示台の斜視図である。
【図１２】（ａ）第５実施形態に係る段ボール製展示台の上面を開放した状態を示す平面図であり、（ｂ）第６実施形態に係る段ボール製展示台の上面を開放した状態を示す平面図である。
【図１３】（ａ）第７実施形態に係る段ボール製展示台の上面を開放した状態を示す平面図であり、（ｂ）第８実施形態に係る段ボール製展示台の上面を開放した状態を示す平面図である。
【発明を実施するための形態】
【００２３】
以下、本発明の実施の形態を添付図面を参照して説明する。
【００２４】
図１は、本発明の第１実施形態に係る段ボール製展示台１の上面を開放した状態における、段ボール製展示台１を上面側から見た斜視図である。なお、特に記載しない限り、本明細書では、同図における第１の側壁１０方向（矢印Ａ方向）を右方向（又は右側）、第３の側壁３０方向（矢印Ｂ方向）を左方向（又は左側）、第４の側壁４０方向（矢印Ｃ方向）を上方向（又は上側）、第２の側壁２０方向（矢印Ｄ方向）を下方向（又は下側）と言う。
【００２５】
段ボール製展示台１は、段ボール材で形成された、箱本体１００と、補強部材２００とを有して構成されている。箱本体１００は、１辺が長方形となる六面体形状となっている。また、補強部材２００は、箱本体１００の底面６０から立設して上面５０に当接するように、箱本体１００の内部に配置される。
【００２６】
箱本体１００は、底面６０、底面６０から立設する第１の側壁１０、第２の側壁２０、第３の側壁３０、第４の側壁４０を有して構成されている。第１の側壁１０と第３の側壁３０及び第２の側壁２０と第４の側壁４０は、それぞれ平行に配置され、お互いに対向するようになっている。換言すると、箱本体１００の第１〜４の側壁１０〜４０は、第１の側壁１０から反時計回りに第２〜４の側壁２０〜４０がこの順番で四角形の環状に連設されている。上記の底面６０及び第１〜４の側壁１０〜４０によって、補強部材２００を設置するための設置空間１０２が形成される。
【００２７】
第１の側壁１０の上側端面１１には、第１上面片１２が折り曲げ可能に連設されている。つまり、第１上面片１２は、第１の側壁１０の上側端面１１を折り曲げ線として、箱本体１００の内側又は外側方向に折り曲げ可能に設けられている。
【００２８】
第１上面片１２における、上側端面１１と反対側の端面１３には、第１上側支持片１４が折り曲げ可能に連設されている。換言すると、第１上側支持片１４は、第１上面片１２の端面１３の一部を面方向に拡張した形状となっており、端面１３を折り曲げ線として、箱本体１００の内側又は外側方向に折り曲げ可能に設けられている。上記により、第１上面片１２を箱本体１００の設置空間１０２方向に折り曲げることにより、第１上面片１２は、開口１０４の右側半分を閉じることができる。第１上側支持片１４は、第１上面片１２の端面１３の真中で中心振り分けされて形成されており、Ｌ１の長さを有している。また、第１上面片１２から第１上側支持片１４にかけて嵌合溝１２Ａが形成されている。嵌合溝１２Ａは、第１上面片１２の略中央から第１上側支持片１４の略中央まで延在して設けられており、後述する第２上面片２２の第２上側支持片２４及び第４上面片４２の第４上側支持片４４と係合できるようになっている。
【００２９】
第１の側壁１０と同様に、第２の側壁２０の上側端面２１には、第２上面片２２が折り曲げ可能に連設されている。つまり、第２上面片２２は、第２の側壁２０の上側端面２１を折り曲げ線として、箱本体１００の内側又は外側方向に折り曲げ可能に設けられている。
【００３０】
第２上面片２２における、上側端面２１と反対側の端面２３には、第２上側支持片２４が折り曲げ可能に連設されている。換言すると、第２上側支持片２４は、第２上面片２２の端面２３の一部を面方向に拡張した形状となっており、端面２３を折り曲げ線として、箱本体１００の内側又は外側方向に折り曲げ可能に設けられている。上記により、第２上面片２２を箱本体１００の設置空間１０２方向に折り曲げることにより、第２上面片２２は、開口１０４の下側半分を閉じることができる。
【００３１】
また、第２上面片２２には、中央から長手方向の両端側に均等配置された２つの孔２２Ａ、２２Ａが形成されている。
【００３２】
２つの孔２２Ａ、２２Ａの端面２３側の内壁の上側端面２１から端面２３方向（第２上面片２２の幅方向）の位置は、第２上面片２２における、上側端面２１から端面２３に引いた垂線の中心から連結用突起２２０、２４０の板厚の半分の距離だけ、上側端面２１側に移動した位置である。また２つの孔２２Ａ、２２Ａの中心の第１の側壁１０側から第３の側壁３０方向（長手方向）の位置は、第２上面片２２における、第１の側壁１０側から第３の側壁３０側に引いた垂線の距離（第２上面片２２の長手方向の長さ）の１／４と３／４の位置であって、第１側壁１０（又は第３側壁３０）側端面を基準として、第３側壁３０（又は第１側壁）方向に設けられている。
【００３３】
なお、孔２２Ａは、１辺の長さがＬ３となる略正方形の角孔形状となっている。孔２２Ａの１辺の長さＬ３は、連結用突起２２０、２４０の板厚よりも広く形成されており、第２補強壁２１２の上側端面２１２Ｂに対する連結用突起２２０、２４０の拡張された長さ（突出寸法Ｌ４）よりも狭くなっている。これによって、連結用突起２２０、２４０は、立設状態では、孔２２Ａを介して上面５０から外側に突出することができ、一方、連結用突起２２０、２４０を折り曲げて、第２上面片２２を閉じた場合、連結用突起２２０、２４０は、孔２２Ａ周囲の面に阻まれ、孔２２Ａから外側に出ないようになっている。なお、上記のように、連結用突起２２０、２４０を折り曲げた場合に、連結用突起２２０、２４０が孔２２Ａから突出しないようになっていることが好ましい。したがって、孔２２Ａの４辺のうち、少なくとも孔２２Ａの連結用突起２２０、２４０の折り曲げ方向の寸法が、連結用突起２２０、２４０の突出寸法Ｌ４よりも狭くなっていれば良い。
【００３４】
第２上側支持片２４は、第２上面片２２の端面２３の真中で中心振り分けされて形成されており、Ｌ２の長さを有している。第２上側支持片２４の両端側には、それぞれ嵌合溝２４Ａ、２４Ａが設けられている。
【００３５】
次に、第３の側壁３０の上側端面３１には、第１の側壁１０と同様、第３上面片３２が上側端面３１を折り曲げ線として、箱本体１００の内側又は外側方向に折り曲げ可能に連設されている。第３上面片３２を箱本体１００の内側方向に折り曲げることによって、箱本体１００の開口１０４の左側半分を閉じることができる。
【００３６】
また、第３上面片３２の上側端面３１と反対側の端面３３には、第３上側支持片３４が端面３３を折り曲げ線として折り曲げ可能に連設されている。第３上側支持片３４は、第３上面片３２の端面３３の真中で中心振り分けされて形成されており、第１上側支持片１４と同様にＬ１の長さを有している。また、第３上面片３２から第３上側支持片３４にかけて嵌合溝３２Ａが形成されている。嵌合溝３２Ａは、第３上面片３２の略中央から第３上側支持片３４の略中央まで延在して設けられており、第２上面片２２の第２上側支持片２４及び第４上面片４２の第４上側支持片４４と係合できるようになっている。
【００３７】
第４の側壁４０の上側端面４１には、第２の側壁２０と同様、第４上面片４２が上側端面４１を折り曲げ線として、箱本体１００の内側又は外側方向に折り曲げ可能に連設されている。これにより、第４上面片４２を箱本体１００の内側方向に折り曲げることにより、第４上面片４２は、箱本体１００の開口１０４の上側半分を閉じることができるようになっている。
【００３８】
また、第４上面片４２には、中央から長手方向の両端側に均等配置された孔４２Ａ、４２Ａが形成されている。
【００３９】
前述した孔２２Ａと同様に、２つの孔４２Ａ、４２Ａの第４上面片４２の上側端面４１から端面４３方向（第４上面片４２の幅方向）の位置は、第４上面片４２における、上側端面４１から端面４３に引いた垂線の中心から連結用突起２６０、２８０の板厚の半分の距離だけ、上側端面４１側に移動した位置である。また２つの孔４２Ａ、４２Ａの中心の第１側壁１０側から第３側壁３０方向（長手方向）の位置は、第４上面片４２における、第１側壁１０側から第３側壁３０側に引いた垂線の距離（第４上面片４２の長手方向の長さ）の１／４と３／４の位置であって、第１側壁１０（又は第３側壁３０）側端面を基準として、第３側壁３０（又は第１側壁）方向に設けられている。
【００４０】
なお、孔４２Ａは、１辺の長さがＬ３となる略正方形の角孔形状となっている。孔４２Ａの１辺の長さＬ３は、連結用突起２６０、２８０の板厚よりも広く形成されており、第４補強壁２１６の上側端面２１６Ｂに対する連結用突起２６０、２８０の面方向に拡張された長さ（突出寸法Ｌ４）よりも狭くなっている。これによって、連結用突起２６０、２８０は、立設状態では、孔４２Ａを介して上面５０から外側に突出することができ、一方、連結用突起２６０、２８０を折り曲げて、第４上面片４２を閉じた場合、連結用突起２６０、２８０は、孔４２Ａ周囲の面に阻まれ、孔４２Ａから外側に出ないようになっている。なお、上記のように、連結用突起２６０、２８０を折り曲げた場合に、連結用突起２６０、２８０が孔４２Ａから突出しないようになっていることが好ましい。したがって、孔４２Ａの４辺のうち、少なくとも孔４２Ａの連結用突起２６０、２８０の折り曲げ方向の寸法が、連結用突起２６０、２８０の突出寸法Ｌ４よりも狭くなっていれば良い。
【００４１】
第４上側支持片４４は、第４上面片４２の端面４３の真中で中心振り分けされて形成されており、Ｌ２の長さを有している。第４上側保持片４４の両端側には、それぞれ嵌合溝４４Ａ、４４Ａが設けられている。
【００４２】
したがって、上記の第１上側支持片１４を第１上面片１２の側面に対して９０°折り曲げた状態で、第１上面片１２を設置空間１０２方向に折り曲げて、開口１０４の長手方向の右側を閉じ、次に、第３上側支持片３４を第３上面片３２の側面に対して９０°折り曲げた状態で、第３上面片３２を設置空間１０２方向に折り曲げて、開口１０４の長手方向の左側を閉じる。そして、上記の第２上側支持片２４を第２上面片２２の側面に対して９０°折り曲げ、先に折り曲げた第１上面片１２の嵌合溝１２Ａ及び第３上面片の嵌合溝３２Ａに嵌合させながら、第２上面片２２を設置空間１０２方向に折り曲げて、開口１０４の長手方向の下側を閉じる。そして、同様に、第４上側支持片４４を第４上面片４２の側面に対して９０°折り曲げ、先に第２上側支持片２４が嵌合している、第１上面片１２の嵌合溝１２Ａ及び第３上面片の嵌合溝３２Ａに嵌合させながら、第４上面片４２を設置空間１０２方向に折り曲げて、開口１０４の長手方向の上側を閉じる。上記のように、第１〜４上側支持片１４〜４４を折り曲げながら、第１〜４上面片１２〜４２を閉じることによって、第１上側支持片１４、第２上側支持片２４、第３上側支持片３４、第４上側支持片４４を有して構成される上側補強部材支持部７０が形成される。なお、上記の第１〜４上面片１２〜４２は、本発明の上面５０を構成する。
【００４３】
また、図２に示されるように、第１〜４の側壁１０〜４０において、上側端面１１〜４１と反対側の底面側端面１６〜４６には、上記の第１〜４上面片１２〜４２及び第１〜４上側支持片１４〜４４と同様の形状及び構造を有する第１〜４底面片１７〜４７、第１〜４下側支持片１８〜４８が形成されている。つまり、上側補強部材支持部７０と同様に、第１〜４下側支持片１８〜４８を折り曲げながら、第１〜４底面片１７〜４７を箱本体１００の内部方向に折り曲げると、第１〜４下側支持片１８〜４８を有して構成される下側補強部材支持部８０が形成される。第２底面片２７には、上面５０と底面６０を閉じた場合に、第２上面片２２の孔２２Ａ、２２Ａと対向する位置に、孔２７Ａ、２７Ａが設けられており、第４底面片４７には、第４上面片４２の孔４２Ａ、４２Ａと対向する位置に、孔４７Ａ、４７Ａが設けられている。なお、上述した上側補強部材支持部７０は、下側補強部材支持部８０と同様の形状で、対向配置されるものである。したがって、上側補強部材支持部７０の形状については、図２の下側補強部材支持部８０の形状を参照されたい。なお、上記の第１〜４底面片１７〜４７は、本発明の底面６０を構成する。
【００４４】
図３は、補強部材２００を下側補強部材支持部８０に係合させた状態を示す。補強部材２００の第２補強壁２１２及び第４補強壁２１６は、第１下側支持片１８及び第３下側支持片３８と係合する。つまり、第１下側支持片１８及び第３下側支持片３８は、第２補強壁２１２及び第４補強壁２１６の側面２１２Ａ、２１６Ａと当接することによって、補強部材２００が第２の側壁２０又は第４の側壁４０側に動かないように規制する。また、補強部材２００の第１補強壁２１０と第３補強壁２１４は、第２下側支持片２８及び第４下側支持片４８と係合する。つまり、第２下側支持片２８と第４下側支持片４８は、第１補強壁２１０及び第３補強壁２１４の側面２１０Ａ、２１４Ａと当接することによって、補強部材２００が第１側壁１０又は第３側壁３０側に動かないように規制する。
【００４５】
上記のように、いわゆる井桁状に配置された第１〜４下側支持片１８〜４８が、環状に構成された第１〜４補強壁２１０〜２１６の内側で係合することにより、第１〜４下側支持片１８〜４８の両端部が第１〜４補強壁２１０〜２１６の側壁２１０Ａ〜２１６Ａと当接する。これにより、補強部材２００は、上下左右方向への移動が規制され、設置空間１０２の所定の位置に支持される。
【００４６】
また、上記のように、補強部材２００を下側補強部材支持部８０に配置した場合、第２底面片２７に形成されている２つの孔２７Ａ、２７Ａの真上に第２補強壁２１２の２つの連結用突起逃げ部２１２Ｄ、２１２Ｄが設けられるようになっている。同様に、第４底面片４７に形成されている２つの孔４７Ａ、４７Ａの真上に第４補強壁２１６の２つの連結用突起逃げ部２１６Ｄ、２１６Ｄが設けられるようになっている。これにより、複数の段ボール製展示台を同一方向で上下に重ねた場合、下側の段ボール製展示台から突出する４つの連結用突起２２０〜２８０は、上に積まれた段ボール製展示台の４つの孔２７Ａ、２７Ａ、４７Ａ、４７Ａを介して、補強部材２００の連結用突起逃げ部２１２Ｄ、２１２Ｄ、２１６Ｄ、２１６Ｄと係合する。したがって、下側の段ボール製展示台の補強部材２００の連結用突起が、上側の段ボール製展示台の箱本体１００の孔を介して他の補強壁２００の連結用突起逃げ部に係合することによって強固に連結され、上下に積まれた複数の段ボール製展示台がずれるのを防止することができる。
【００４７】
次に、図４を用いて、補強部材２００について説明する。補強部材２００は、箱本体１００の板厚よりも厚い（例えば、１．５倍の厚さ）段ボール材を使用して形成されている。これにより、後述する連結用突起２２０〜２８０の強度を上げることができ、連結用突起２２０〜２８０の強度を上げることができる。上下に積み重ねられる段ボール製展示台は、箱本体１００の板厚よりも厚い板材の補強部材同士が係合することで連設しているので、箱本体と同じ板圧の補強部材を使用する場合に比べ、横方向からの衝撃などに対しての強度が非常に強くなる。
【００４８】
補強部材２００は、第１補強壁２１０、第２補強壁２１２、第３補強壁２１４、第４補強壁２１６を環状に連結して形成されている。第１補強壁２１０と第３補強壁２１４は、平行に配置され、第１補強壁２１０における第３補強壁２１４側の側面２１０Ａと、第３補強壁２１４における第１補強壁２１０側の側面２１４Ａが対向するようになっている。また、第１，３補強壁と同様、第２補強壁２１２と第４補強壁２１６は、平行に配置され、第２補強壁２１２における第４補強壁２１６側の側面２１２Ａと、第４補強壁２１６における第２補強壁２１２側の側面２１６Ａが対向するようになっている。つまり、補強部材２００は、四角形状の枠状構造になり、設置空間１０２内で倒れ難くなっている。また、第２補強壁２１２の側面２１２Ａと第４補強壁２１６の側面２１６Ａの間隔はＬ１、第１補強壁２１０の側壁２１０Ａと第３補強壁２１４の側壁２１４Ａの間隔はＬ２となっている。したがって、上記の第１、３上側支持片１４、３４は、第２補強壁２１２と第４補強壁２１６に略隙間なく嵌り合い、第２、４上側支持片２４、４４は、第１補強壁２１０と第３補強壁２１４に略隙間なく嵌り合うようになっている。
【００４９】
第２、４補強壁２１２、２１６には、上側端面２１２Ｂ、２１６Ｂの面方向に拡張された連結用突起２２０、２４０、２６０、２８０が形成されている。連結用突起２２０〜２８０は、前述した第２、４上面片２２、４２を折り曲げて閉じた時に、第２、４上面片２２、４２の孔２２Ａ、４２Ａから突出する位置となるように、上側端面２１２Ｂ、２１６Ｂの中心から両端部側に均等の位置に配置されている。詳細に、第２補強壁２１２の連結用突起２２０の外側端面２２０Ｂと第４補強壁２１６の連結用突起２８０の外側側面２８０Ｂの間隔は、対応する孔２２Ａと４２Ａの内壁に当接する距離となっている。また、第２補強壁２１２の連結用突起２４０の外側端面２４０Ｂと第４補強壁２１６の連結用突起２６０の側面２６０Ｂの間隔は、対応する孔２２Ａと４２Ａの内壁に当接する距離となっている。したがって、補強部材２００は、連結用突起２２０〜２８０の外側側面２２０Ｂ〜２８０Ｂと孔２２Ａ、４２Ａの内壁の当接によって、位置決めされるようになっている（図４（ｂ）参照）。なお、連結用突起２２０〜２８０の外側側面２２０Ｂ〜２８０Ｂは、孔２２Ａ、４２Ａの外側内壁又は内側内壁のどちらに当接するようにしても好ましい。
【００５０】
連結用突起２２０〜２８０のうち、となり合う連結用突起２２０〜２８０の間隔は、上面５０において、となり合う連結用突起２２０〜２８０と同一方向の外周縁の１辺の長さの１／２となることが好ましい。例えば、連結用突起２２０と２４０（又は連結用突起２６０と２８０）の間隔は、上側端面２１又は４１の１／２の長さとなることが好ましく、連結用突起２２０と２８０（又は連結用突起２４０と２６０）の間隔は、上側端面１１又は３１の１／２の長さとなることが好ましい。このようにすることによって、複数の段ボール製展示台１を縦（長手）方向又は横方向に配置した場合、上記と同様に隣接する連結用突起の間隔が、上面の同一方向の外周縁の１辺の長さの１／２となる。したがって、複数の段ボール製展示台を縦横方向に自在に配置して、さらに積み上げることができる。
【００５１】
連結用突起２２０〜２８０の長さＬ５は、孔２２Ａの１辺の長さＬ３（図１参照）と略同じか、それよりも小さく形成され、孔２２Ａに係合できるようになっている。
【００５２】
また、第２、４補強壁２１２、２１６の上側端面２１２Ｂ、２１６Ｂと反対側の下側端面２１２Ｃ、２１６Ｃにおいて、連結用突起２２０〜２８０に対応する位置には、連結用突起逃げ部２１２Ｄ、２１６Ｄが形成されている。連結用突起逃げ部２１２Ｄ、２１６Ｄは、連結用突起２２０〜２８０と略同じ形のものを凹形状にくり抜いた形状となっており、段ボール製展示台１を上下に重ねた場合、下側の段ボール製展示台１の連結用突起２２０〜２８０と係合できるようになっている。詳細に、図５に示されるように、１の段ボール製展示台１の上に同様の他の段ボール製展示台１を同一方向に重ねた場合、下側の段ボール製展示台１の連結用突起２２０〜２８０が、他の段ボール製展示台１の底面６０の孔２２Ａ、４２Ａを介して連結用突起逃げ部２１２Ｄ、２１６Ｄと係合するようになっている。これによって、下側の１の段ボール製展示台１と上側に積み重ねられた他の段ボール製展示台１は、ずれないようになっている。
【００５３】
図４に戻って、第１〜４補強壁２１０〜２１６の高さ方向の寸法Ｌ６は、箱本体１００の上面５０と底面６０の間の寸法Ｌ６（図１参照）と略同じになっている。したがって、補強部材２００を箱本体１００に設置することによって、補強部材２００が上面５０と底面６０を支持することができる。補強部材２００は、４枚の補強壁２１０〜２１６が上面５０及び底面６０に対して立設状態で配置されるので、上面５０に大きな荷重を加えても撓み難くなっている。
【００５４】
＜組み立て構造＞
【００５５】
次に、段ボール製展示台１の組み立て構造について説明する。
【００５６】
図６（ａ）は、段ボール製展示台１の上面５０を開放した状態である。箱本体１００の内部には、補強部材２００が下側補強部材支持部８０と係合した状態で設置されている。
【００５７】
初めに、第１上面片１２及び第３上面片３２を箱本体１００の内側に折り曲げる（図６（ｂ）参照）。この際、第１上側支持片１４及び第３上側支持片３４は、それぞれ第１上面片１２及び第３上面片３２に対して約９０°同図上側に折り曲げた状態にしておく。そうすることにより、上記の第１上側支持片１４及び第３上側支持片３４は、補強部材２００の第２補強壁２１２の側面２１２Ａと第４補強壁２１６の側面２１６Ａに当接し、補強部材２００の横方向（第２側壁２０又は第４側壁４０方向）の移動を規制する。なお、この時、第１上面片１２における、第１上側支持片１４の折り曲げ部（上側端面１３）が、連結用突起２２０、２８０の外側端面２２０Ｃ、２８０Ｃと当接するようになっている。また、第３上面片３２における、第３上側支持片３４の折り曲げ部（上側端面３３）が、連結用突起２４０、２６０の外側端面２４０Ｃ、２６０Ｃと当接するようになっている。これにより、補強部材２００は、横方向と直行する長手方向（第１側壁１０又は第３側壁３０方向）の移動が規制されるようになっている。
【００５８】
次に、第２上面片２２を箱本体１００の内側に折り曲げる（図６（ｃ）参照）。この際、第２上側支持片２４を内側に折り曲げながら、第１上面片１２の嵌合溝１２Ａと第３上面片３２の嵌合溝３２Ａに係合するように挿入する。なお、この時、第２上側支持片２４の２つの逃げ溝２４Ａ、２４Ａは、底面６０に対して垂直状態となっている第１上側支持片１４、第３上側支持片３４に対して上側から入り込んで係合できるようになっている。これによって、第２上側支持片２４は、嵌合溝１２Ａ、３２Ａを介して、補強部材２００の第１補強壁２１０と第３補強壁２１４の側面２１０Ａ、２１４Ａに当接する。そして、第２上側支持片２４は、補強部材２００の第１側壁１０及び第３側壁３０側への移動を規制する。つまり、補強部材２００は、上記の上側端面１３及び３３による外側端面２２０Ｃ〜２８０Ｃへの当接、及び第２上側支持片２４の側面２１０Ａ、２１４Ａへの当接によって移動を規制される。また、第２上面片２２に形成されている２つの孔２２Ａ、２２Ａは、補強部材２００の第２補強壁２１２の連結用突起２２０、２４０と係合し、それらを外側に突出させる。
【００５９】
そして、第４上面片４２を箱本体１００の内側に折り曲げる（図６（ｄ）参照）。この際、第４上側支持片４４を内側に折り曲げながら、先に第２上側保持片２４が係合している第１上面片１２の嵌合溝１２Ａと第３上面片３２の嵌合溝３２Ａに係合するように挿入する。なお、この時、第４上側支持片４４の２つの逃げ溝４４Ａ、４４Ａは、底面６０に対して垂直状態となっている第１上側支持片１４、第３上側支持片３４に対して上側から入り込んで係合できるようになっている。これによって、第４上側支持片４４は、嵌合溝１２Ａ、３２Ａを介して、補強部材２００の第１補強壁２１０と第３補強壁２１４の側面２１０Ａ、２１４Ａに当接する。つまり、補強部材２００は、上記の上側端面１３及び３３による外側端面２２０Ｃ〜２８０ＡＣへの当接及び４上側支持片４４の側面２１０Ａ、２１４Ａへの当接によって移動を規制される。また、第４上面片４２に形成されている２つの孔４２Ａ、４２Ａは、補強部材２００の第２補強壁２１２の連結用突起２６０、２８０と係合し、それらを外側に突出させる。
【００６０】
上記により、４つの連結用突起２２０〜２８０が、箱本体１００の上面５０から外側に垂直に突出した、段ボール製展示台１が形成される。
【００６１】
上記のように、段ボール製展示台１は、上面５０及び底面６０に複数の孔２２Ａ、４２Ａ、２７Ａ、４７Ａが設けられた６面体となる箱本体１００と、底面６０から立設し、上面５０に当接することにより、上面５０及び底面６０を支える複数の補強壁２１０〜２１２を備えている。また、複数の補強壁２１０〜２１６は、箱本体１００の上面５０の孔２２Ａ、４７Ａを介して突出するように面方向に延びた複数の連結用突起２２０〜２４０、及び少なくとも連結用突起２２０〜２８０に対応する反対側の位置において、面方向に凹んだ連結用突起逃げ部２１２Ｄ、２１６Ｄ、が設けられている。そして、箱本体１００の底面６０の孔２７Ａ、４７Ａは、連結用突起逃げ部２１２Ｄ、２１６Ｄに対面する位置に設けられているので、複数の段ボール製展示台が積み重ねた場合、下段の補強部材の連結用突起と上段の連結用突起逃げ部が係合し、複数の段ボール製展示台を強固に繋げることができる。
【００６２】
また、上記の段ボール製展示台１は、箱本体１００の内壁から突出して複数の補強壁２１０〜２１６の側面２１０Ａ〜２１６Ａに当接する、上側補強壁支持部７０及び下側補強部材支持部８０が設けられている。これによって、上側補強壁支持部７０及び下側補強部材支持部８０は、補強部材２００を所定の設置空間１０２に固定することができる。
【００６３】
また、上記の段ボール製展示台１は、対向状態で配置される第１補強壁２１０及び第３補強壁２１４、並びに対向状態で配置される第２補強壁２１２及び第４補強壁２１６を有して構成されている。また、第１補強壁２１０、第２補強壁２１２、第３補強壁２１４及び第４補強壁２１６は、この順番で環状に連結されるとともに、上側補強壁支持部７０及び下側補強部材８０は、第１補強壁２１０と第３補強壁２１４の間、又は第２補強壁２１２と第４補強壁２１６の間に配置される。これによって、上側補強壁支持部７０及び下側補強部材支持部８０は、補強部材２００を所定の設置空間１０２に固定することができる。
【００６４】
また、段ボール製展示台１は、箱本体１００の上面５０は、方形に構成され、となり合う連結用突起２２０〜２８０の間隔は、上面５０における、となり合う連結用突起２２０〜２８０の間隔と同一方向の長さの１／２としている。したがって、複数の段ボール製展示台１の位置決めを行うと共に、上下に安定して積み重ねることができる。
【００６５】
また、上記の段ボール製展示台１は、対向状態で配置される第１補強壁２１０及び第３補強壁２１４、並びに対向状態で配置される第２補強壁２１２及び第４補強壁２１６を有して構成されている。また、第１補強壁２１０、第２補強壁２１２、第３補強壁２１４及び第４補強壁２１６は、この順番で環状に連結されるとともに、上側補強壁支持部７０及び下側補強壁支持部８０は、第１補強壁２１０と第３補強壁２１４の間、及び第２補強壁２１２と第４補強壁２１６の間に配置される。これによって、上側補強壁支持部７０及び下側補強部材支持部８０は、補強部材２００を所定の設置空間１０２に固定することができる。
【００６６】
また、上記の段ボール製展示台１は、上面５０から底面６０方向に突出し、第１〜４補強壁２１０〜２１６の上面側に当接する第１〜４上側支持片１４〜４４と、底面６０から上面５０方向に突出し、第１〜４補強壁２１０〜２１６の底面側に当接する第１〜４下側支持片１８〜４８とを備えている。これにより、補強部材２００は、第１〜４上側支持片１４〜４４及び第１〜４下側支持片１８〜４８により、両側から挟み込むことによって確実に固定される。
【００６７】
また、上記の段ボール製展示台１は、第１〜４補強壁２１０〜２１６の連結用突起２２０〜２８０は、補強壁に対して折り曲げ可能に設けられ、箱本体１００の複数の孔２２Ａ、４２Ａにおける、連結用突起２２０〜２８０の折り曲げ方向の寸法は、連結用突起の板厚よりも広く、且つ前連結用突起２２０〜２８０を折り曲げた状態の折り曲げ幅よりも狭くしている。これにより、補強部材２００の連結用突起２２０〜２８０を、上面５０を閉じる前に折り曲げることにより、連結用突起２２０〜２８０を孔２２Ａ、４２Ａから外側に突出させないようにすることができ、上面５０を平面にすることができる。
【００６８】
また、上記の段ボール製展示台１は、第１〜４補強壁２１０〜２１６の連結用突起２２０〜２８０は、補強壁に対して折り曲げ可能に設けられ、箱本体１００の複数の孔２２Ａ、４２Ａにおける、連結用突起２２０〜２８０の折り曲げ方向の寸法は、連結用突起２２０〜２８０を折り曲げた状態の折り曲げ幅よりも広くしている。これにより、補強部材２００の連結用突起２２０〜２８０を折り曲げることにより、上面５０を閉じた後でも連結用突起２２０〜２８０を孔２２Ａ、４２Ａから外側に突出させないようにすることができ、上面５０を平面にすることができる。
【００６９】
なお、本実施形態では、補強部材２００は、第１〜４補強壁２１０〜２１６が環状に形成されている。しかし、補強部材は、少なくとも２枚の補強壁（例えば、第２補強壁２１２及び第４補強壁２１６）が設けられていれば良い。そして、２枚の補強壁２１２、２１６の上側端面２１２Ｂ、２１６Ｂに連結用突起２２０、２４０、２６０、２８０を備えると共に、下側端面２１２Ｃ、２１６Ｃに連結用突起逃げ部２１２Ｄ，２１６Ｄを形成するようにすることが好ましい。これによって、箱本体１００は、２枚の補強部材で補強される。また、段ボール製の展示台は、上面５０の４つの孔２２Ａ、２２Ａ、４２Ａ、４２Ａから連結用突起２２０〜２８０を突出させると共に、底面６０の４つの孔２７Ａ、２７Ａ、４７Ａ、４７Ａに４つの連結用突起逃げ部２１２Ｄ、２１６Ｄを望む構成とすることができる。したがって、複数の段ボール製展示台を積み重ねても、連結用突起と連結用突起逃げ部の係合により、ずれ難くすることができる。
【００７０】
また、連結用突起２２０〜２８０は、少なくとも上面５０の外周よりも内側に設けられていることが望ましい。これにより、段ボール製展示台を複数積み重ねた場合、外から連結用突起の連結状態を視認し難くすることができ、見た目を良くすることができる。
【００７１】
なお、上面片の閉じる順序は、上記に限定されるものでないことは言うまでもない。
【００７２】
次に、本発明の第２実施形態に係る段ボール製展示台２について説明する。段ボール製展示台２は、箱本体１００に設置される補強部材３００の形態が異なるところに特徴がある。なお、箱本体１００については、孔２２Ａ、４２Ａの形（角度）を除いて、第１実施形態に係る段ボール製展示台１と同様の形態であるので、詳細な説明は省略する。
【００７３】
補強部材３００は、図７（ａ）に示されるように、第１補強壁３２０と、第１補強壁３２０に対してＸ字状に係合する第２補強壁３４０とを有して構成されている。
【００７４】
第１補強壁３２０は、段ボール製の板状部材であり、箱本体１００の上面側となる端面３２１において、端面３２１から均等に離れた両端側に連結用突起３２２、３２４が面方向に拡張されて形成されている。また、第１補強壁３２０の中心には、係合溝３２６が形成され、後述する第２補強壁３４０と係合することができるようになっている。
【００７５】
なお、第１補強壁３２０の連結用突起３２２、３２４の対応する底面側には、第１実施形態の連結用突起逃げ部２１２Ｄ、２１６Ｄと同様の連結用突起逃げ部（図示省略）が形成されている。これによって、複数の段ボール製展示台２を上下方向に積み重ねた場合、下側の段ボール製展示台２の連結用突起３２２、３２４が上側の段ボール製展示台２の連結用突起逃げ部に係合し、上下の段ボール製展示台２がずれないようになっている。
【００７６】
第１補強壁３２０と同様に、第２補強壁３４０は、段ボール製の板状部材であり、箱本体１００の上面側となる端面３４１において、端面３４１から均等に離れた両端側に連結用突起３４２、３４４が面方向に拡張されて形成されている。また、第２補強壁３４０の中心には、係合溝３４６が形成され、前述の第１補強壁３２０と係合することができるようになっている。
【００７７】
なお、第２補強壁３４０の連結用突起３４２、３４４の対応する底面側には、連結用突起逃げ部（図示省略）が形成されている。これによって、複数の段ボール製展示台２を上下方向に積み重ねた場合、下側の段ボール製展示台２の連結用突起３４２、３４４が上側の段ボール製展示台２の連結用突起逃げ部に係合し、上下の段ボール製展示台２がずれないようになっている。
【００７８】
次に、箱本体１００の第１上面片１２及び第３上面片３２を、箱本体１００の内側に折り曲げる（図７（ｂ）参照）。この時、第１実施形態と同様に、第１上面片１２と第３上面片３２の上側端面１３、３３が連結用突起３２４、３４４及び３２２、３４２の外側端面に係合するようになっている。これにより、第１補強壁３２０と第２補強壁３４０の第２の側壁２０又は第４の側壁４０方向への移動が規制される。
【００７９】
次に、第４上面片４２を箱本体１００の内側に折り曲げる（図７（ｃ）参照）。本実施形態では、第４上面片４２に設けられている孔４２Ａ、４２Ａは、第１、２補強壁３２０、３４０の連結用突起３２４、３４２に係合できるように斜めに設けられている。これにより、第４上面片４２を閉じた場合、孔４２Ａ、４２Ａは、第１、２補強壁３２０、３４０の連結用突起３２４、３４２に係合し、それらを外側に突出させるようになっている。
【００８０】
最後に、第２上面片２２を箱本体１００の内側に折り曲げる（図７（ｄ）参照）。第４上面辺４２と同様、本実施形態では、第２上面片２２に設けられている孔２２Ａ、２２Ａは、第１、２補強壁３２０、３４０の連結用突起３２２、３４４に係合できるように斜めに設けられている。これにより、第２上面片２２を閉じた場合、孔２２Ａ、２２Ａは、第１、２補強壁３２０、３４０の連結用突起３２２、３４４に係合し、それらを外側に突出させるようになっている。
【００８１】
上記により、斜め配置された４つの連結用突起３２２、３２４、３４２、３４４が、箱本体１００の上面５０から外側に垂直に突出した、段ボール製展示台２が形成される。
【００８２】
上記のように、段ボール製展示台２は、少なくとも第１補強壁３２０及び第２補強壁３４０を備え、補強壁支持部は、第１補強壁３２０における、第２補強壁３４０側の側面及び第２補強壁３４０における、第１補強壁３２０側の側面に当接するようになっている。したがって、補強壁支持部材は、補強部材２００の動きを規制することができる。
【００８３】
また、段ボール製展示台２は、第１補強壁３２０と第２補強壁３４０がＸ字状に配置されている。つまり、２枚の補強壁３２０、３４０は、箱本体１００の中心で交わり、中心付近を密状態で支持し、箱本体１００の外縁付近は、補強壁と補強壁が離れた疎状態で支持するようになっている。これによって、展示物が箱本体１００の真ん中に置かれることが多い場合でも十分な重量を支えることができる。
【００８４】
なお、上面片の閉じる順序は、上記に限定されるものでないことは言うまでもない。
【００８５】
次に、本発明の第３実施形態に係る段ボール製展示台３について説明する。段ボール製展示台３は、第１実施異形態で説明した段ボール製展示台１を長手方向に半分の長さにした形状となっているところに特徴がある。
【００８６】
段ボール製展示台３は、図８（ａ）に示されるように、箱本体６００と、補強部材７００とを有して構成されている。
【００８７】
箱本体６００は、第１の側壁６１０、第２の側壁６２０、第３の側壁６３０、第４の側壁６４０と、上面６７０、底面６８０を有して構成されている。
【００８８】
第１の側壁６１０は、折り曲げ可能に設けられた第１上面片６１２と、第１上面片６１２の上側端面を面方向に拡張して形成された第１上側支持片６１４が連設されている。第１上面片６１２を箱本体１００の内側に折り曲げることにより、箱本体１００の開口の一部を閉じることができる。第１上面片６１２には、後述する補強部材７００の連結用突起７２０と係合する位置に孔６１２Ａが設けられている。孔６１２Ａは、孔６１２Ａの第１の側壁６１０側の内壁が、後述する第１上面片６１２の中央に位置するように設けられる連結用突起７２０の外側側面７２０Ｃに当接するように設けられている。
【００８９】
なお、第１の側壁６１０、第１上面片６１２、第１上側支持片６１４は、第１実施形態で説明した、第１の側壁１０、第１上面片１２、第１上側支持片１４と同様の形態、機能であるので、ここでは詳細な説明は省略する。
【００９０】
第２の側壁６２０は、折り曲げ可能に設けられる第２上面片６２２と、第２上面片６２２の上側端面を面方向に拡張して形成された第２上側支持片６２４が連設されている。第２上面片６２２を箱本体１００の内側に折り曲げることにより、箱本体１００の開口の一部を閉じることができる。なお、第２の側壁６２０、第２上面片６２２、第２上側支持片６２４は、第１実施形態で説明した、第２の側壁２０、第２上面片２２、第２上側支持片２４と同様の形態、機能であるので、ここでは詳細な説明は省略する。
【００９１】
第３の側壁６３０は、折り曲げ可能に設けられる第３上面片６３２と、第３上面片６３２の上側端面を面方向に拡張して形成された第２上側支持片６３４が連設されている。第３上面片６３２を箱本体１００の内側に折り曲げることにより、箱本体１００の開口の一部を閉じることができる。第３上面片６３２には、後述する補強部材７００の連結用突起７４０と係合する位置に孔６３２Ａが設けられている。孔６３２Ａは、孔６３２Ａの第３の側壁６３０側の内壁が、後述する第３上面片６３２の中央に位置するように設けられる連結用突起７４０の外側側面７４０Ｃに当接するように設けられている。なお、第３の側壁６３０、第３上面片６３２、第３上側支持片６３４は、第１実施形態で説明した、第３の側壁３０、第３上面片３２、第３上側支持片３４と同様の形態、機能であるので、ここでは詳細な説明は省略する。
【００９２】
第４の側壁６４０は、折り曲げ可能に設けられる第４上面片６４２と、第４上面片６４２の上側端面を面方向に拡張して形成された第４上側支持片６４４が連設されている。第４上面片６４２を箱本体１００の内側に折り曲げることにより、箱本体１００の開口の一部を閉じることができる。なお、第４の側壁６４０、第４上面片６４２、第４上側支持片６４４は、第１実施形態で説明した、第４の側壁４０、第４上面片４２、第４上側支持片４４と同様の形態、機能であるので、ここでは詳細な説明は省略する。
【００９３】
補強部材７００は、第１補強壁７１０、第２補強壁７１２、第３補強壁７１４、第４補強壁７１６を有して構成されている。第１〜４補強壁７１０〜７１６は、第１実施形態と同様に、四角形状の環状に連結されている。また、第１補強壁７１０及び第３補強壁７１４の上面側の端面には、連結用突起７２０及び７４０が面方向に拡張して形成されている。また、第１補強壁７１０における、連結用突起７２０と同位置の反対側端面には、面方向に凹んだ連結用突起逃げ部７１０Ａが形成され、第３補強壁７１４における、連結用突起７４０と同位置の反対側端面には、面方向に凹んだ連結用突起逃げ部７１４Ａが形成されている。なお、第１〜４補強壁７１０〜７１６、連結用突起７２０、７４０並びに連結用突起逃げ部７１０Ａ、７１４Ａは、第１実施形態における、第１〜４補強壁２１０〜２１６、連結用突起２２０〜２８０並びに連結用突起逃げ部２１２Ｄ、２１６Ｄと同様の形態、機能であるので、詳細な説明は省略する。
【００９４】
なお、第１実施形態と同様に、第２上面片６２２を箱本体６００の内側に折り曲げること、第２上面片６２２の第２上側支持片６２４が補強部材７００の第１補強壁７１０と第３補強壁７１４の間に係合すると共に、第２上面片６２２の上側端面６２３が連結用突起７２０の第１端面７２０Ａと連結用突起７４０の第１端面７４０Ａに当接する。また、第４上面片６４２を箱本体６００の内側に折り曲げること、第４上面片６４２の第４上側支持片６４４が補強部材７００の第１補強壁７１０と第３補強壁７１４の間に係合すると共に、第４上面片６４２の上側端面６４３が連結用突起７２０の第２端面７２０Ｂと連結用突起７４０の第２端面７４０Ｂに当接する。
【００９５】
なお、上記の第１上側支持片６１４、第２上側支持片６２４、第３上側支持片６３４、第４上側支持片６４４は、本発明の上側補強部材支持部を構成する。
【００９６】
上記により、補強部材７００は、第１上側支持片６２４と第４上側支持片６４４により、第１の側壁６１０又は第３の側壁６３０方向への移動が規制されると共に、第２の側壁６２０、第４の側壁６４０方向への移動が規制される。
【００９７】
そして、第１、３上面片６１０、６３０を箱本体６００の内側方向に折り曲げて、孔６１２Ａ、６３２Ａを補強部材７００の連結用突起７２０、７４０に係合させる。これにより、連結用突起７２０、７４０は、箱本体の上面６７０から外側に垂直に突出する（図８（ｂ）参照）。連結用突起７２０、７４０は、第１上面片６１２及び第３上面片６３２を閉じた場合に、それぞれ第１上面片６１２、第３上面片６３２の略中央に位置するように設けられている。
【００９８】
なお、段ボール製展示台３の上面を開放した状態を真上から見ると図９に示されるようになっている。第１〜４の側壁６１０〜６４０における、第１〜４上面片６１２〜６４２と反対側の端面には、第１底面片６１７、第２底面片６２７、第３底面片６３７、第４底面片６４７が連設されている。さらに、第１底面片６１７には、第１下側支持片６１８、第２底面片６２７には、第２下側支持片６２８、第３底面片６３７には、第３下側支持片６３８、第４底面片６４７には、第４下側支持片６４８が設けられている。第１〜４下側支持片６１８〜６４８は、底面から井桁状に立設されている。上記の第１〜４底面片６１７〜６４７、第１〜４下側支持片６１８〜６４８は、第１実施形態の第１〜４底面片１７〜４７、第１〜４下側支持片１８〜４８と同様であるので、詳細な説明は省略する。なお、上記の第１下側支持片６１８、第２下側支持片６２８、第３下側支持片６３８、第４下側支持片６４８は、本発明の下側補強部材支持部を構成する。
【００９９】
上記のように、段ボール製展示台３は、第１実施形態に係る段ボール製展示台１を長手方向に半分の長さにしたものであるので、段ボール製展示台１の上に段ボール製展示台３を積み重ねて、階段状に配置することができる（図１０（ａ）参照）。この場合、下の段ボール製展示台１の上面から突出している連結用突起２２０、２８０が、上に積み重ねられている段ボール製展示台３の連結用突起逃げ部７１０Ａ、７１４Ａに係合して、ずれないようになっている。
【０１００】
また、本発明の第２実施例を除き、連結用突起２２０〜２８０及びそれに対応して設けられる連結用突起逃げ部２１２Ｄ、２１６Ｄは、上面５０（及び底面６０）の中心を通り、上面５０（及び底面６０）の４辺に引いた垂線により４分割される領域の中心に設けられている。このようにすることにより、図１０（ｂ）（ｃ）に示されるように、段ボール製展示台１の長手方向に段ボール製展示台３を並べ、その上に、段ボール製展示台１及び段ボール製展示台３をまたがるように段ボール製展示台１を積み重ねることもできる。また、図１０（ｄ）（ｅ）に示されるように、複数の段ボール展示台１を横方向に並べ、横方向に並べられた段ボール製展示台１をまたがるように、段ボール製展示台１、３を積み重ねることができる。このように、長さの異なる段ボール製展示台を様々な組み合わせで繋げることによって、バリエーションに富む展示台を作ることができる。また、複数の段ボール製展示台をまたがるように積み重ねることができるので、段ボール製展示台がずれたり崩れたりするのを防止することができる。もちろん、上記の組合せ以外にも、複数の段ボール製展示台１、３を縦横に組み合わせて様々なバリエーションの展示台を作ることができる。
【０１０１】
このように、第１実施形態に係る段ボール製展示台１は、４つの連結用突起、連結用突起逃げ部を、上面又は底面の中心を通り外周の４辺への垂線で区切られる４つの領域の略中央に配置している。また、第３実施形態に係る段ボール製展示台３は、２つの連結用突起、連結用突起逃げ部を上面又は底面の中心を通る垂線で区切られる２つの領域の略中央に配置している。つまり、段ボール製展示台１の長手方向の連結用突起（例えば、連結用突起２２０と２４０）のピッチは、段ボール製展示台１の長手方向に段ボール製展示台３を連結した場合の、展示台１の連結用突起（例えば、連結用突起２２０）と段ボール製展示台３の連結用突起（例えば、連結用突起７２０）のピッチと同じになるように構成している。また、上記と同様に、段ボール製展示台１の長手方向の連結用突起逃げ部（例えば、連結用突起逃げ部２１２Ｄと２１２Ｄ）のピッチは、段ボール製展示台１の長手方向に段ボール製展示台３を連結した場合の、展示台１の連結用突起逃げ部（例えば、連結用突起逃げ部２１２Ｄ）と段ボール製展示台３の連結用突起逃げ部（例えば、連結用突起逃げ部７１０Ａ）のピッチと同じになるように構成している。したがって、段ボール製展示台１、３をどのように組み合わせた場合でも、上下の連結用突起と連結用突起逃げ部が係合できるようになっており、複数種類の段ボール製展示台を自由に組み合わせて積み重ねることができる。なお、同図では、上に重ねられている段ボール製展示台３の連結用突起は上面から飛び出している状態を示している。しかし、最上部の段ボール製展示台の連結用突起を予め折り曲げることによって、段ボール製展示台の上面から突出しないようにしておくことが好ましい。
【０１０２】
なお、本発明に係る上記実施形態は、箱本体や補強部材等の各部材を段ボール材で形成している。しかし、いわゆる段ボール材に限定するものではなく、他の紙材等を用いても好ましい。
【０１０３】
また、上記の実施形態では、上側支持片（例えば、第１〜４上側支持片１４〜４４）と下側支持片（例えば、第１〜４下側支持片１８〜４８）によって形成される上側補強部材支持部７０、下側補強部材支持部８０により補強部材２００の位置決めを行っている。しかし、上記のように上側補強部材支持片や下側補強部材支持片により補強部材の位置決めを行うものに限られない。
【０１０４】
例えば、図１１（ａ）に示されるように、第４実施形態に係る、段ボール製展示台４として、第１実施形態で説明した補強部材２００に位置決め用凸部２９０を設け、箱本体１００の底面６０に位置決め用孔６５を設けても好ましい。この場合、位置決め用孔６５は、位置決め用孔６５に位置決め用突起２９０を嵌めた場合に、連結用突起２２０〜２８０が、上面５０の中心を通り、外周の四辺に引いた垂線により４分割される領域のそれぞれ略中心に位置するように設けられていることが望ましい。なお、図１１では、位置決め用突起２９０は、補強部材２００の第２補強壁２１２と第４補強壁２１６の底面側に面方向に延ばして設けられている。また、位置決め用孔６５は、第２底面片２７、第４底面片４７に設けられている。
【０１０５】
なお、位置決め用突起２９０の面方向の突出寸法は、箱本体１００の板厚よりも小さくしておくことが望ましい。そのようにすることにより、位置決め用突起２９０が底面６０から外側に突出するのを防ぐことができる。上記の説明以外は、第１実施形態に係る段ボール製展示台１と同一の形態、機能を有するものであるので、図示及び詳細な説明は省略する。
【０１０６】
なお、本実施形態のように、補強部材２００に位置決め用突起２９０、箱本体１００に位置決め用孔６５を設けた場合には、上側、下側補強部材支持部７０、８０は必要なく、第１〜４上側支持片１４〜４４、第１〜４下側支持片１８〜４８と補強部材２００は上記のように係合していなくても良い。
【０１０７】
また、補強部材の１対の補強壁を箱本体１００の少なくとも１対の内壁に当接するようにしても好ましい。例えば、図１２（ａ）に示されるように、第５実施形態に係る、段ボール製展示台５として、補強部材８００は、第１〜４補強壁８１０〜８４０によって四角枠状に形成される。また、補強部材８００の第１補強壁８１０と第３補強壁８３０の側面は、箱本体１００の第１の側壁１０、第３の側壁３０に当接するように構成されている。このようにすることによって、補強部材８００の長手方向の位置が決定され、補強部材８００の位置決めが１方向（第２の側壁２０、第４の側壁４０方向）だけで済むようになる。もちろん、上記の補強部材支持部による位置決めや、位置決め用突起２９０と位置決め用孔６５による位置決めを加えても良い。上記の説明以外は、第１実施形態に係る段ボール製展示台１と同一の形態、機能を有するものであるので、図示及び詳細な説明は省略する。
【０１０８】
なお、この場合、箱本体１００の内部に位置決め片９０を設けても好ましい。位置決め片９０は、箱本体１００の第１の側面１０と第３の側面３０の一部を箱本体１００の内側に約９０°折り曲げることにより形成される（本実施形態では、４か所設けられている）。このように位置決め片９０を設けることにより、補強部材８００の位置決めが容易に行うことができる。もちろん、補強部材の位置決めはこれに限定されるものではなく、例えば、補強部材８００の第１補強壁８１０及び８３０に位置決め突起を設け、対応する箱本体１００の第１の側面１０及び第３の側面３０に、位置決め突起と嵌り合う溝を設けることにより、補強部材８００の位置決めを行うようにしても好ましい。
【０１０９】
さらに、１対の内壁と当接する複数の補強壁８５０、８６０を、上記の補強部材８００の長手方向と垂直方向に設けても好ましい。例えば、図１２（ｂ）に示されるように、第６実施形態に係る、段ボール製展示台６として、四角枠状に形成された補強部材８００の長手方向の真ん中に、補強部材８００の第２補強壁８２０及び第４補強壁８４０と係合し、それぞれと垂直に配置される補強壁８５０を設けても好ましい。補強部材８００は、第１補強壁８１０と第３補強壁８３０と箱本体１００の第１の側壁１０と第３の側壁３０が係合することにより、長手方向の位置が決定される。また、補強部材８００は、補強部材８５０が箱本体１００の第２の側壁２０及び第４の側壁４０と当接することにより、補強部材８００の長手方向と垂直方向の位置が決定される。このように、補強部材８００を枠状に形成し、枠を構成する１対の補強壁８１０、８３０に対して垂直に設けられる補強壁８５０を設けることにより、補強壁８５０は、補強部材８００の２か所で係合し、倒れたり傾くのを防止することができる。上記の説明以外は、第１実施形態に係る段ボール製展示台１と同一の形態、機能を有するものであるので、図示及び詳細な説明は省略する。
【０１１０】
図１３（ｂ）は、第７実施形態に係る、段ボール製展示台７として、枠状に形成された補強部材８００に２つの補強壁８５０、８６０を設けた例である。このように、枠状の補強部材８００に複数の補強壁を設けることにより、箱本体１００の強度をより向上させることができる。上記の説明以外は、第１実施形態に係る段ボール製展示台１と同一の形態、機能を有するものであるので、図示及び詳細な説明は省略する。
【０１１１】
上記の実施形態では、補強部材８００を長手方向に伸ばし、箱本体１００の第１の側壁１０又は第３の側壁３０と当接するようにしている。しかし、これに限定するものではなく、補強部材８００の第２補強壁８２０、第４補強壁８４０を伸ばし、箱本体１００の第２の側壁２０、第４の側壁４０に当接するようにしても好ましい。この場合、補強壁８５０、８６０は、第１の側壁１０、第３の側壁３０と当接するように、補強壁８２０、８４０に対して垂直に設けられる。
【０１１２】
また、図１３（ｂ）は、第８実施形態に係る、段ボール製展示台８として、複数の補強壁を格子状に係合させた場合を示している。同図（ｂ）では、補強部材９００を構成する４つの補強壁９１０〜９４０を格子状に配置している。つまり、補強壁９１０と９２０が平行に配置され、それに、平行に配置された補強壁９３０と９４０が垂直方向に係合している。また、補強壁９１０と９２０の端面は、箱本体１００の第１の側壁１０と第３の側壁３０と係合するようになっており、補強壁９３０と９４０の端面は、箱本体１００の第２の側壁２０と第４の側壁４０に係合するようになっている。これにより、補強部材９００位置が決定される。
【０１１３】
上記のように、補強部材に少なくとも一部を箱本体の内壁に係合させることにより、補強部材の位置決めを行うことができ、第１〜４実施形態で説明した、上下補強部材支持部０、８０や位置決め用突起２９０、位置決め用孔６５がない場合でも、箱本体１００に対する補強部材の位置決めを容易に行うことができる。上記の説明以外は、第１実施形態に係る段ボール製展示台１と同一の形態、機能を有するものであるので、図示及び詳細な説明は省略する。
【０１１４】
なお、上記の実施形態では、補強部材は、複数の補強壁を枠状、Ｘ字状又は格子状に配置している例を示したが、これに限定されるものではない。例えば、補強部材を箱状に形成し、段ボール製展示台の上面と底面を面で受けるようにしても好ましい。これにより、強度をより向上することができる。
【０１１５】
また、本実施形態では、箱本体と連結用突起が設けられた補強部材を別部材としている。したがって、補強部材を強度の高い材質（高強度の段ボール材）にすることにより、原材料コストを最小限に抑えつつ、段ボール製展示台の強度を更に向上することができる。また、複数の段ボール製展示台を積み重ねた場合、各展示台は、補強部材の連結用突起と連結用突起逃げ部により結合されているため、補強部材の材質を高強度にすることにより、展示台自身の強度を向上するとともに、１の展示台と結合されている他の展示台の横方向からの衝撃に対する耐力を向上することができる。
【０１１６】
また、上記の実施形態では、段ボール製展示台の上面及び底面を水平に置いているが、これに限定されるものではない。例えば、段ボール製展示台を立てて（上面及び底面を鉛直方向にして）使用しても好ましい。これにより、複数の展示台を左右方向に連結することができる。
【０１１７】
また、上記の実施形態では、連結用突起及び連結用突起逃げ部を上面及び底面に配置する構造としたが、これに限定されるものではない。例えば、連結用突起を第１〜４の側面に設け、対向する第１〜４の側面に連結用突起逃げ部を設けても好ましい。これにより、複数の段ボール製展示台を上下方向と左右方向に連結することができる。
【０１１８】
尚、本発明の段ボール製展示台は、上記した実施の形態に限定されるものではなく、本発明の要旨を逸脱しない範囲内において種々変更を加え得ることは勿論である。
【産業上の利用可能性】
【０１１９】
本発明の段ボール製展示台は、段ボールに代表される紙等で製造された展示台の分野で幅広く利用することができる。
【符号の説明】
【０１２０】
１      段ボール製展示台
１０    第１側壁
１２    第１上面片
１４    第１上側支持片
２０    第２側壁
２２    第２上面片
２２Ａ  孔
２４    第２上側支持片
３０    第３側壁
３２    第３上面片
３４    第３上側支持片
４０    第４側壁
４２    第１上面片
４２Ａ  孔
４４    第４上側支持片
５０    上面
６０    底面
７０    上側補強部材支持部
８０    下側補強部材支持部
１００  箱本体
２００  補強部材
２１０  第１補強壁
２１２  第２補強壁
２１４  第３補強壁
２１６  第４補強壁
２２０、２４０、２６０、２８０  連結用突起
２１２Ｄ、２１６Ｄ  連結用突起逃げ部
【図１】
2011037457.tif 000003
【図２】
2011037457.tif 000004
【図３】
2011037457.tif 000005
【図４】
2011037457.tif 000006
【図５】
2011037457.tif 000007
【図６】
2011037457.tif 000008
【図７】
2011037457.tif 000009
【図８】
2011037457.tif 000010
【図９】
2011037457.tif 000011
【図１０】
2011037457.tif 000012
【図１１】
2011037457.tif 000013
【図１２】
2011037457.tif 000014
【図１３】
2011037457.tif 000015
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
環状に設けられた４つの側壁、該側壁の上側に開閉可能に設けられる上面、及び該側壁の下側に開閉可能に設けられる底面を有し、前記上面及び前記底面に複数の孔が設けられた６面体となる箱本体と、
前記箱本体の内部において、該箱本体の前記底面から立設するとともに、前記上面に当接し、前記上面側又は前記底面側から見て、前記側壁から離れた位置で環状に配置される補強壁と、
前記底面を前記箱本体の内部方向に折り曲げることにより、前記箱本体の内部に配置される前記補強壁と係合することによって、該補強壁が前記４つの側壁方向へ動かないように規制する、下側補強壁支持部と、
を備え、
前記補強壁には、前記箱本体の前記上面の孔を介して突出するように面方向に延び、前記上面側に重ねられた他の段ボール製展示台と連結するための複数の連結用突起と、前記底面側に重ねられた他の段ボール製展示台と連結するために、前記連結用突起に対応する反対側の位置において、面方向に凹んだ連結用突起逃げ部と、が形成され、
前記箱本体の前記底面の孔は、前記連結用突起逃げ部に対面する位置に設けられていることを特徴とする、段ボール製展示台。
【請求項２】
前記該連結用突起を折り曲げてから、前記上面を閉じることによって、折り曲げられた状態の前記連結用突起は前記上面により押さえ込まれ、前記上面に設けられた前記孔から突出しないことを特徴とする、
請求項２に記載の段ボール製展示台。
【請求項３】
前記連結用突起は、前記上面の中心を通り、前記上面の４辺に引いた垂線により４分割される４つの領域の各中心に設けられることにより、となり合う前記連結用突起の間隔は、前記上面における、前記間隔と同一方向の長さの１／２であることを特徴とする、
請求項１又は２に記載の段ボール製展示台。
【請求項４】
前記上面を前記箱本体の内部方向に折り曲げることにより、前記箱本体の内部に配置される前記補強壁と係合することによって、該補強壁が前記４つの側壁方向へ動かないように規制する、上側補強壁支持部を、さらに備えていることを特徴とする、
請求項１乃至３のいずれか１項に記載の段ボール製展示台。
【請求項５】
前記補強壁の板厚は、前記箱本体の板厚よりも厚いことを特徴とする、
請求項１乃至４のいずれか１項に記載の段ボール製展示台。
【請求項６】
前記連結用突起逃げ部は、前記連結用突起と略同一形状であることを特徴とする、
請求項１乃至５のいずれか１項に記載の段ボール製展示台。
【請求項７】
前記補強壁の両端面は、前記箱本体の少なくとも１組の対向する内壁に当接することを特徴とする、
請求項１乃至６のいずれか１項に記載の段ボール製展示台。
【請求項８】
前記補強壁の底面側の端面には、位置決め用突起が面方向に拡張して設けられ、
前記箱本体には、前記位置決め用突起に対応する位置に、該位置決め用突起と嵌り合う位置決め孔が設けられていることを特徴とする、
請求項１乃至７のいずれか１項に記載の段ボール製展示台。
【請求項９】
前記連結用突起は、前記補強壁に対して折り曲げ可能に設けられ、
前記箱本体の前記複数の孔における、前記連結用突起の折り曲げ方向の寸法は、前記連結用突起の板厚よりも広く、且つ前記連結用突起を折り曲げた状態の折り曲げ幅よりも狭いことを特徴とする、
請求項１乃至８のいずれか１項に記載の段ボール製展示台。
【請求項１０】
前記連結用突起は、前記補強壁に対して折り曲げ可能に設けられ、
前記箱本体の前記複数の孔における、前記連結用突起の折り曲げ方向の寸法は、前記連結用突起を折り曲げた状態の折り曲げ幅よりも広いことを特徴とする、
請求項１乃至９のいずれか１項に記載の段ボール製展示台。
【請求項１１】
前記箱本体の内壁から突出して前記複数の補強壁の側面に当接することにより、前記補強壁を支持する、１又は２以上の補強壁支持部が設けられていることを特徴とする、
請求項１乃至１０のいずれか１項に記載の段ボール製展示台。
【請求項１２】
前記複数の補強壁は、少なくとも第１補強壁及び第２補強壁を備え、
前記補強壁支持部は、前記第１補強壁における前記第２補強壁側の側面、及び前記第２補強壁における前記第１補強壁側の側面に当接することを特徴とする、
請求項１１に記載の段ボール製展示台。